【手続補正書】
【提出日】令和2年12月17日(2020.12.17)
【手続補正１】
【補正対象書類名】特許請求の範囲
【補正対象項目名】全文
【補正方法】変更
【補正の内容】
【特許請求の範囲】
【請求項１】
ポリビニルアルコール系樹脂（Ａ）及び多価アルコール（Ｘ）を含有してなる液体洗剤の包装用水溶性フィルムで、多価アルコール（Ｙ）を含有する液体洗剤が包装されてなる液体洗剤包装体であって、ポリビニルアルコール系樹脂（Ａ）に対する多価アルコール（Ｘ）の含有割合をｘ重量％とし、液体洗剤中の多価アルコール（Ｙ）の含有割合をｙ重量％としたときに、前記ｘとｙとが下式（１）を満足し、
自然に自立する方向においた時の液体洗剤包装体の高さが２４ｍｍ以上であることを特徴とする液体洗剤包装体。
ｘ≧ｙ  ・・・（１）
【請求項２】
上記液体洗剤包装用水溶性フィルムにおいて、ポリビニルアルコール系樹脂（Ａ）に対する多価アルコール（Ｘ）の含有割合（ｘ）が２５重量％以上であることを特徴とする請求項１記載の液体洗剤包装体。
【請求項３】
液体洗剤中の多価アルコール（Ｙ）の含有割合（ｙ）が、５〜５０重量％であることを特徴とする請求項１または２記載の液体洗剤包装体。
【請求項４】
ポリビニルアルコール系樹脂（Ａ）が、アニオン性基変性ポリビニルアルコール系樹脂を含有してなることを特徴とする請求項１〜３のいずれか一項に記載の液体洗剤包装体。
【請求項５】
水溶性フィルムの含水率が３〜１５重量％であることを特徴とする請求項１〜４のいずれか一項に記載の液体洗剤包装体。
【請求項６】
液体洗剤が、水に溶解又は分散させた時のｐＨ値が６〜１２で、水分量が１５重量％以下であることを特徴とする請求項１〜５のいずれか一項に記載の液体洗剤包装体。
【請求項７】
液体洗剤包装体が、長さ１０〜５０ｍｍであることを特徴とする請求項１〜６のいずれか一項に記載の液体洗剤包装体。
【請求項８】
液体洗剤の量が、５〜５０ｍＬであることを特徴とする請求項１〜７のいずれか一項に記載の液体洗剤包装体。
【手続補正２】
【補正対象書類名】明細書
【補正対象項目名】発明の名称
【補正方法】変更
【補正の内容】
【発明の名称】液体洗剤包装体
【手続補正３】
【補正対象書類名】明細書
【補正対象項目名】０００１
【補正方法】変更
【補正の内容】
【０００１】
本発明は、ポリビニルアルコール系樹脂（以下、ポリビニルアルコールをＰＶＡと略記することがある。）を主成分として含有してなる液体洗剤包装用水溶性フィルムを用いた液体洗剤包装体に関する。更に詳しくは、液体洗剤を包装して包装体とした状態であっても経時での水溶性フィルムの張りを損なわない、良好な包装体を形成し得る液体洗剤包装用水溶性フィルムを用いた液体洗剤包装体に関するものである。
【手続補正４】
【補正対象書類名】明細書
【補正対象項目名】０００７
【補正方法】変更
【補正の内容】
【０００７】
そこで、本発明ではこのような背景下において、液体洗剤を包装して包装体とした状態であっても経時での水溶性フィルムの張りを損なわない、良好な包装体を形成し得る液体洗剤包装用水溶性フィルムで液体洗剤が包装されてなる液体洗剤包装体を提供するものである。
【手続補正５】
【補正対象書類名】明細書
【補正対象項目名】０００９
【補正方法】変更
【補正の内容】
【０００９】
即ち、本発明の要旨は、ＰＶＡ系樹脂（Ａ）及び多価アルコール（Ｘ）を含有してなる液体洗剤の包装用水溶性フィルムで、多価アルコール（Ｙ）を含有する液体洗剤が包装されてなる液体洗剤包装体であって、ＰＶＡ系樹脂（Ａ）に対する多価アルコール（Ｘ）の含有割合をｘ重量％とし、液体洗剤中の多価アルコール（Ｙ）の含有割合をｙ重量％としたときに、前記ｘとｙとが下式（１）を満足し、自然に自立する方向においた時の液体洗剤包装体の高さが２４ｍｍ以上である液体洗剤包装体に関するものである。
ｘ≧ｙ  ・・・（１）
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
本発明の液体洗剤包装体は、優れた水溶性を有するとともに、液体洗剤を包装した状態であっても経時での水溶性フィルムの張りを損なわない、良好な包装体であり、特に液体洗剤のユニット包装用途に有用である。
【手続補正８】
【補正対象書類名】明細書
【補正対象項目名】００１７
【補正方法】変更
【補正の内容】
【００１７】
以下、本発明について具体的に説明する。
本発明の液体洗剤包装体に用いる水溶性フィルムは、ＰＶＡ系樹脂（Ａ）及び多価アルコール（Ｘ）を含有してなるものである。詳しくは、本発明で用いる水溶性フィルムは、多価アルコール（Ｙ）を含有する液体洗剤の包装に用いられる、ＰＶＡ系樹脂（Ａ）及び多価アルコール（Ｘ）を含有する液体洗剤包装用の水溶性フィルム（以下、ＰＶＡ系フィルムと記載することがある。）である。
そして、ＰＶＡ系樹脂（Ａ）に対する多価アルコール（Ｘ）の含有割合をｘ重量％とし、液体洗剤中の多価アルコール（Ｙ）の含有割合をｙ重量％としたときに、下式（１）、好ましくは下式（２）、特に好ましくは下式（３）、更に好ましくは下式（４）を満足するものである。
【手続補正９】
【補正対象書類名】明細書
【補正対象項目名】００１８
【補正方法】変更
【補正の内容】
【００１８】
ｘ≧ｙ  ・・・（１）
ｘ−ｙ≧５  ・・・（２）
４０≧ｘ−ｙ≧８  ・・・（３）
３０≧ｘ−ｙ≧１０  ・・・（４）
【手続補正１０】
【補正対象書類名】明細書
【補正対象項目名】００２３
【補正方法】変更
【補正の内容】
【００２３】
また、本発明で用いるＰＶＡ系樹脂（Ａ）の重合度は一般的に水溶液粘度で示すことができ、２０℃における４重量％水溶液粘度は、５〜５０ｍＰａ・ｓであることが好ましく、更には１０〜４５ｍＰａ・ｓ、特には１５〜４０ｍＰａ・ｓであることが好ましい。かかる粘度が小さすぎると、包装材料としての水溶性フィルムの機械的強度が低下する傾向があり、一方、大きすぎると製膜時の水溶液粘度が高く生産性が低下する傾向がある。また、未変性ＰＶＡの２０℃における４重量％水溶液粘度は、５〜５０ｍＰａ・ｓであることが好ましく、更には１０〜４５ｍＰａ・ｓ、特には１５〜４０ｍＰａ・ｓであることが好ましい。一方、変性ＰＶＡ系樹脂の２０℃における４重量％水溶液粘度は、５〜５０ｍＰａ・ｓであることが好ましく、更には１０〜４５ｍＰａ・ｓ、特には１５〜４０ｍＰａ・ｓであることが好ましい。
【手続補正１１】
【補正対象書類名】明細書
【補正対象項目名】００３２
【補正方法】変更
【補正の内容】
【００３２】
上記変性ＰＶＡ系樹脂は、上記ビニルエステル系化合物と、ビニルエステル系化合物と共重合可能な不飽和単量体とを共重合させた後、ケン化する方法または、未変性ＰＶＡを後変性する方法、等により製造することができる。
【手続補正１２】
【補正対象書類名】明細書
【補正対象項目名】００５１
【補正方法】変更
【補正の内容】
【００５１】
上記水溶性フィルムでは、これを用いて液体洗剤包装体とする場合において、水溶性フィルムに柔軟性を持たせる点から、ＰＶＡ系樹脂（Ａ）に可塑剤として多価アルコール（Ｘ）を含有する。多価アルコール（Ｘ）は１種のみを用いることもできるが、少なくとも２種を併用することが好ましい。
【手続補正１３】
【補正対象書類名】明細書
【補正対象項目名】００９７
【補正方法】変更
【補正の内容】
【００９７】
本発明で用いるフィルムロールには、端部の傷付きやゴミ等の異物の付着を防止するため、フィルムロールに直接、あるいは包装フィルムで包装した上から、フィルムロールの両端部に芯管貫通孔をもつ保護パットを装着させることができる。
保護パットの形状は、フィルムロールにあわせて、円盤状のシート、フィルムが実用的である。保護効果を顕著にするため発泡体、織物状、不織布状等の緩衝機能を付加させるのが良い。又、湿気からフィルムロールを守るため乾燥剤を別途封入したり、前記保護パットに積層又は混入したりしておくこともできる。
保護パットの素材はプラスチックが有利であり、その具体例としては、例えば、ポリスチレン、ポリエチレン、ポリプロピレン、ポリエステル、ポリ塩化ビニル等が挙げられる。